(57)【要約】【課題】スキャン電極駆動回路の構成を簡単にし、製作単価も低減させ、電流の導通によるスイッチの熱損失及び維持パルスの生成が有利であるようにする交流プラズマディスプレイパネルのスキャン電極駆動装置及びその駆動方法を提供する。【解決手段】維持放電のための波形を印加するためにパネルキャパシターに電力を供給し、供給された電力を回収して再使用する電力回収部；電力回収部から供給された電力に基づいて、リセット期間中に各放電セルの状態をリセットさせるパルス信号を供給するランプ波形印加部；スキャン期間中にアドレッシングされた放電セルに壁電荷を蓄積するためのパルス信号を供給するスキャンパルス発生部；を含み、ランプ波形印加部が各セルの状態をリセットさせるパルスをパネルキャパシターに伝達する第１電流経路と、パネルキャパシターから電力を回収する第２電流経路とを分離する。【選択図】図２
2008083714.tif 000002
【特許請求の範囲】
【請求項１】
多数のアドレス電極と、互いに対を成すように交互に配列された多数のスキャン電極および維持電極との交差部に放電セルが形成され、前記スキャン電極と維持電極の間にパネルキャパシターが形成された交流プラズマディスプレイパネルを、リセット期間、スキャン期間および維持期間を含むサブフィールド単位で駆動する交流プラズマディスプレイパネルのスキャン電極駆動装置において、
入出力端子を有していて、前記維持期間中の電力供給時には、前記パネルキャパシターに放電のための電力を供給するために、入出力端子から電力を出力し、前記維持期間中の電力回収時には、供給した電力を回収して再使用するために、入出力端子から電力を入力する電力回収部と、
入力端子および出力端子を有していて、前記電力回収部から入力端子に供給される電力に基づいて、前記リセット期間中には、各放電セルの状態をリセットさせるリセットパルス信号を出力端子から出力し、前記維持期間中の電力供給時には、前記パネルキャパシターに供給するための電力を、入力端子から出力端子への第１電流経路を介して供給するリセットパルス発生部と、
電力回収端子およびスキャンパルス出力端子を有していて、前記スキャン期間中には、アドレッシングされた放電セルに壁電荷を蓄積するためのスキャンパルス信号をスキャンパルス出力端子から出力し、前記維持期間中の電力回収時には、スキャンパルス出力端子から電力回収端子への第２電流経路を介して電力回収を行うスキャンパルス発生部と、
第１端子、第２端子および第３端子を有していて、第１端子から入力されるリセットパルス信号または第２端子から入力されるスキャンパルス信号を第３端子から出力するスキャンバッファーＩＣとを含み、
前記電力回収部の入出力端子は、前記リセットパルス発生部の入力端子と、前記スキャンパルス発生部の入力端子とに接続されていて、前記リセットパルス発生部の出力端子は、前記スキャンバッファーＩＣの第１端子に接続されていて、前記スキャンパルス発生部のスキャンパルス出力端子は、前記スキャンバッファーＩＣの第２端子に接続されていて、前記スキャンバッファーＩＣの第３端子は、前記スキャン電極を介して前記パネルキャパシターの一端に接続されていて、
前記リセットパルス発生部は、その入力端子から出力端子への第１電流経路の途中に第１ダイオードが挿入されていて、第１ダイオードのアノードは、リセットパルス発生部の入力端子に接続され、第１ダイオードのカソードは、リセットパルス発生部の出力端子に接続されていて、
前記リセットパルス発生部は、その出力端子と接地電圧との間に第２スイッチが挿入されていることを特徴とする交流プラズマディスプレイパネルのスキャン電極駆動装置。
【請求項２】
多数のアドレス電極と、互いに対を成すように交互に配列された多数のスキャン電極および維持電極との交差部に放電セルが形成され、前記スキャン電極と維持電極の間にパネルキャパシターが形成された交流プラズマディスプレイパネルを、リセット期間、スキャン期間および維持期間を含むサブフィールド単位で駆動する交流プラズマディスプレイパネルのスキャン電極駆動装置において、
入出力端子を有していて、前記維持期間中の電力供給時には、前記パネルキャパシターに放電のための電力を供給するために、入出力端子から電力を出力し、前記維持期間中の電力回収時には、供給した電力を回収して再使用するために、入出力端子から電力を入力する電力回収部と、
入力端子および出力端子を有していて、前記電力回収部から入力端子に供給される電力に基づいて、前記リセット期間中には、各放電セルの状態をリセットさせるリセットパルス信号を出力端子から出力し、前記維持期間中の電力供給時には、前記パネルキャパシターに供給するための電力を、入力端子から出力端子への第１電流経路を介して供給するリセットパルス発生部と、
電力回収端子およびスキャンパルス出力端子を有していて、前記スキャン期間中には、アドレッシングされた放電セルに壁電荷を蓄積するためのスキャンパルス信号をスキャンパルス出力端子から出力し、前記維持期間中の電力回収時には、スキャンパルス出力端子から電力回収端子への第２電流経路を介して電力回収を行うスキャンパルス発生部と、
第１端子、第２端子および第３端子を有していて、第１端子から入力されるリセットパルス信号または第２端子から入力されるスキャンパルス信号を第３端子から出力するスキャンバッファーＩＣとを含み、
前記電力回収部の入出力端子は、前記リセットパルス発生部の入力端子と、前記スキャンパルス発生部の入力端子とに接続されていて、前記リセットパルス発生部の出力端子は、前記スキャンバッファーＩＣの第１端子に接続されていて、前記スキャンパルス発生部のスキャンパルス出力端子は、前記スキャンバッファーＩＣの第２端子に接続されていて、前記スキャンバッファーＩＣの第３端子は、前記スキャン電極を介して前記パネルキャパシターの一端に接続されていて、
前記リセットパルス発生部は、その入力端子から出力端子への第１電流経路の途中に第１ダイオードが挿入されていて、第１ダイオードのアノードは、リセットパルス発生部の入力端子に接続され、第１ダイオードのカソードは、リセットパルス発生部の出力端子に接続されていて、
前記スキャンパルス発生部は、そのスキャンパルス出力端子から電力回収端子への第２電流経路の途中に第１スイッチが挿入されていて、
前記第１スイッチは、前記リセット期間のランプ波形上昇期間である第１期間中および前記スキャン期間中は、オフされることを特徴とする交流プラズマディスプレイパネルのスキャン電極駆動装置。
【請求項３】
前記第２スイッチは、前記リセット期間のランプ波形下降期間である第２期間中および前記スキャン期間中は、オンされることを特徴とする請求項１に記載の交流プラズマディスプレイパネルのスキャン電極駆動装置。
【発明の詳細な説明】
【技術分野】
【０００１】
本発明は交流プラズマディスプレイパネルに係り、特に、スキャン（Ｙ）電極駆動回路内の駆動スイッチの数を減らしてプラズマディスプレイパネルと駆動回路間の電流の流路を設定することができる交流プラズマディスプレイパネルのスキャン電極駆動装置及びその駆動方法に関するものである。
【背景技術】
【０００２】
一般に、プラズマディスプレイパネル（Plasma Display Panel : PDP）は気体の放電によって生成されたプラズマを利用して文字または映像を表示する平板ディスプレイ装置であり、その大きさによって数十万から数百万個以上のピクセル（pixel）がマトリックス形態に配列されている。そして、プラズマディスプレイパネルは印加される駆動電圧波形の形態と放電セルの構造によって、直流型（ＤＣ型）と交流型（ＡＣ型）とに区分される。
【０００３】
直流型と交流型における最も大きな構造的差異は、直流型の場合、電極が放電空間にそのまま露出されていて、電圧が印加される間に電流が放電空間にそのまま流れるようになる。したがって、電流制限のための抵抗を外部的に形成しなければならないという短所を有する。反面、交流型の場合、電極を覆っている誘電体層によりキャパシタンスが自然に形成されて電流が制限され、放電時にイオンの衝撃から電極が保護されるので、直流型に比べて寿命が長い。交流プラズマディスプレイパネルの重要な特性の一つであるメモリ特性も、電極を覆っている誘電体層によるキャパシタンスにより具現されるものである。
【０００４】
交流プラズマディスプレイパネルの発光原理を見てみれば、共通電極（またはＸ電極）とスキャン電極（またはＹ電極）にパルス信号形態の電位差が形成されて放電が起こり、この放電過程で生成された真空紫外線が赤（Ｒ）、緑（Ｇ）、青（Ｂ）の蛍光体に各々励起されて各々の蛍光体は光組合わせにより発光することになる。このような放電はプラズマディスプレイパネル内部の放電気体の種類と圧力、及び酸化マグネシウム（ＭｇＯ）保護膜の二次電子放出特性並びに、電極の構造と駆動条件のような多様なパラメータ（parameter）の影響を受ける。
【０００５】
交流プラズマディスプレイパネルは、その維持放電のための共通電極（またはＸ電極、以下、Ｘ電極という）、スキャン電極（またはＹ電極、以下、Ｙ電極という）が容量性負荷として作用するので、前記Ｘ電極、Ｙ電極に対するキャパシタンス（Ｃｐ）が形成され、維持放電のための波形を印加するためには放電のための電力以外に無効電力が必要である。このような無効電力を回収して再使用する回路を維持放電回路（または電力回収回路）という。
【０００６】
図１は一般的なプラズマディスプレイパネルの電極配列図である。
【０００７】
電極はｍ列、ｎ行のマトリックス構成を有する。列方向にはアドレス電極（Ａ１〜Ａｍ）が配列されており、行方向にはｎ行のスキャン電極（ＳＣＮ１〜ＳＣＮｎ）及び維持電極（ＳＵＳ１〜ＳＵＳｎ）が配列されている。対を成すスキャン電極及び維持電極とアドレス電極の交差部にある放電空間が放電セルを形成する。
【０００８】
従来のＹ電極駆動回路は、電力回収部、リセットパルス供給部、スキャンバッファーＩＣ（ＩＣ）、スキャンパルス供給部を含む。
【０００９】
電力回収部は、動作シークエンスによるスイッチング動作によってパネルキャパシタ（Ｃｐ）に電力を供給し、放電が行われた後に再び電力を回収する。リセット放電部は、各放電セルの状態を初期化させるリセットパルスを生成する。スキャンバッファーＩＣは、所定のタイミングによって保存されたスキャンパルス信号を出力する。スキャンパルス供給部４０は、オンにするべき放電セルとオンにしてはいけない放電セルを選択する。
【００１０】
このようなＹ電極駆動回路によるパネル駆動方法では一つのフレームがｎ個のサブフィールド（subfield）からなり、一つのサブフィールドはリセット期間、スキャン期間、維持期間及び消去期間からなる。
【００１１】
リセット期間において、その前半には全てのアドレス電極（Ａ１〜Ａｍ）及び全ての維持電極（ＳＵＳ１〜ＳＵＳｎ）を０Ｖに維持し、全てのスキャン電極（ＳＣＮ１〜ＳＣＮｎ）には、維持電極に対して放電開始電圧以下の電圧から放電開始電圧を越える電圧に向かって徐々に上昇するランプ電圧を印加する。リセット期間の後半に全てのスキャン電極には、維持電極に対して放電開始電圧以下の電圧から放電開始電圧を越える０Ｖに向って徐々に下降するランプ電圧を印加する。
【００１２】
スキャン期間には全てのＹ電極を既定の電圧に維持する。第１行に表示されるべき放電セルに対応するアドレス電極とＹ電極に対しては、夫々、アドレス電極とスキャンパルス電圧（０Ｖ）を同時に印加し、その選択されたセルに壁電荷（wall charge）が蓄積されるようにする。
【００１３】
維持期間には全てのＹ電極及びＸ電極に所定の維持パルスを印加して、放電セルに表現しようとする階調に維持放電が起こるようにする。
【００１４】
消去期間には全てのＸ電極に所定の消去パルスを印加して、維持放電が停止するようにする。
【００１５】
このようなパネル駆動方法が適用される駆動回路において、リセット期間に印加されるランプ波形を生成するＹ電極駆動回路のリセットパルス供給部には多数のスイッチが存在する。スイッチは、駆動回路とパネルの間に流れる電流の経路を開き、リセット波形が生成される時に電力回収部とスキャンパルス供給部とを分離させる役割を果たす。
【００１６】
しかし、このような従来のＹ電極駆動回路ではスイッチが回路構成に重要な役割を果し、多数のスイッチ使用によって駆動回路の製作値が増加する。また、スイッチが電流経路の主経路（main path）に存在するため、各駆動信号の出力特性に好ましくないという問題点がある。
【発明の開示】
【発明が解決しようとする課題】
【００１７】
このような問題点を解決するために、本発明が目的とする技術的課題は、電流が流れる主経路に存在するスイッチを除去して、リセット期間の作動波形であるリセット波形を生成するスキャン電極駆動装置を提供することにある。
【課題を解決するための手段】
【００１８】
このような目的を達成するための本発明の一つの特徴による交流プラズマディスプレイパネルのスキャン電極駆動装置は、
多数のアドレス電極と、互いに対を成すようにジグザグ状に配列された多数の走査電極と維持電極とを含み、前記走査電極と維持電極の間にパネルキャパシターが形成されるプラズマディスプレイパネルの駆動装置において、維持放電のための波形を印加するために前記パネルキャパシターに電力を供給し、供給された電力を回収して再使用する電力回収部；前記電力回収部から供給された電力に基づいて、リセット期間中に各放電セルの状態をリセットさせるパルス信号を供給するランプ波形印加部；及びスキャン期間中にアドレッシングされた放電セルに壁電荷を蓄積するためのパルス信号を供給するスキャンパルス発生部；を含み、
前記ランプ波形印加部が各セルの状態をリセットさせるパルス信号を前記パネルキャパシターに伝達する第１電流経路と、前記パネルキャパシターから電力を回収する第２電流経路とを分離することを特徴とする。
【００１９】
本発明の他の特徴による交流ディスプレイパネルの駆動装置駆動方法は、
多数のアドレス電極と、互いに対を成すようにジグザグ状に配列された多数の走査電極と維持電極とを含み、前記走査電極と維持電極の間にパネルキャパシターが形成されるプラズマディスプレイパネルの駆動方法において、前記アドレス電極、走査電極及び維持電極によって形成された各々の放電セルをリセットさせるリセット段階；前記オンにするべき放電セルをアドレッシングするアドレス段階；及びアドレッシングされた前記放電セルを維持放電させる維持放電段階；を含み、
前記リセット段階は、前記パネルキャパシターにリセット電圧を印加する段階；及び前記リセット電圧が前記パネルキャパシターに印加される経路と異なる第１及び第２経路によって各々前記パネルキャパシターに電気的に連結される第１及び第２スイッチを導通させ、前記パネルキャパシターに印加された前記リセット電圧を減少させる段階；を含む。
【発明の効果】
【００２０】
以上のように、本発明の交流プラズマディスプレイパネルのスキャン電極駆動装置及びその駆動方法は電流が流れる主経路に存在するスイッチを除去することにより、スキャン電極駆動装置の構成を簡単にし、製作単価においても有利な駆動装置を提供する。
【００２１】
また、前記スイッチの除去による電流経路を変えることにより、電流の導通によるスイッチ（Ｙｓｐ）の熱損失及び維持パルスの生成が有利になる。
【００２２】
また、前記スイッチの除去による電流経路を変えることによってスキャン期間での接地バイアスをスイッチ（Ｙｆｒ）が遂行するので、望ましいスキャンパルス波形形成に役に立つ。
【発明を実施するための最良の形態】
【００２３】
添付した図面を参考として、本発明の実施例について本発明の属する技術分野にて通常の知識を有する者が容易に実施できるように詳細に説明する。しかし、本発明はいろいろ相異した形態で具現することができ、ここで説明する実施例に限定されない。
【００２４】
図２は、本発明の実施例による交流プラズマディスプレイパネルのＹ電極駆動装置を示す回路図である。
【００２５】
添付した図２のように、本発明の実施例による交流プラズマディスプレイパネルのＹ電極駆動装置は、維持放電のための波形を印加するためにパネルキャパシタ（Ｃｐ）に電力を供給し、供給された電力を回収して再使用する電力回収部１００と、電力回収部１００から供給された電力に基づいて放電セルにアドレッシング（addressing）動作が円滑に遂行されるように、各放電セルの状態を初期化させるパルス信号を供給するリセットパルス発生部２００と、各放電セルの状態を初期化するリセット信号、及び放電セルに壁電荷が蓄積できるようにするスキャン信号を保存して、所定のタイミングによって保存されていた信号を出力するスキャンバッファーＩＣ３００と、アドレッシングされた放電セルに壁電荷を蓄積する動作を行うスキャンパルス発生部と４００を含む。
【００２６】
以下、本発明の実施例による交流プラズマディスプレイパネルのＹ電極駆動装置の作用について、添付した図面を参照して詳細に説明する。
【００２７】
図３は、本発明の実施例による駆動波形を示す図である。
【００２８】
添付した図３のように、初期状態ではスイッチ（Ｙｒ）が導通する直前にスイッチ（Ｙｇ）が導通していて、パネルキャパシタ（Ｃｐ）両端の電圧は０Ｖを維持している。この時、電力回収用キャパシター（Ｃｓｓ）は外部印加電圧（Ｖｓ）の１/２だけの電圧（Ｖｓ/２）が予め充電されて、維持放電開始時に電流が突入しないようにする。パネルキャパシタ（Ｃｐ）の両端電圧を０Ｖに維持した状態で、スイッチ（Ｙｒ）がオン（Ｏｎ）されスイッチ（Ｙｓ、Ｙｇ、Ｙｆ）がオフ（Ｏｆｆ）される動作が始まれば、電力回収用キャパシター（Ｃｓｓ）、スイッチ（Ｙｒ）、ダイオード（Ｄ１）、インダクタ（Ｌ）及びダイオード（Ｄｓ）の経路でＬＣ共振回路が形成される。そうなると、この電流経路に沿って流れる電流により、パネルキャパシター（Ｃｐ）の出力電圧がＶｓまで増加する。
【００２９】
次に、スイッチ（Ｙｒ、Ｙｓ）がオンされスイッチ（Ｙｆ、Ｙｇ）がオフされて、外部印加電圧（Ｖｓ）がスイッチ（Ｙｓ）を通じてパネルキャパシタ（Ｃｐ）に流れるようになり、パネルキャパシタ（Ｃｐ）の出力電圧を維持するようになる。キャパシター（Ｃ１）はリセットパルス電圧（Ｖｓｅｔ）とＶｓの間の電圧差を維持する。
【００３０】
この時、ライジングランプ波形を供給するためにスイッチ（Ｙｒｒ）がオンされ、スイッチ（Ｙｒｒ）がオンされてランプ波形が供給されながらスイッチ（Ｙｒｒ）が導通して、電圧全体が外部印加電圧（Ｖｓ）をリセットパルス電圧（Ｖｓｅｔ）に加えた電圧まで上昇する。この前記全体電圧を計算してみれば、外部印加電圧（Ｖｓ）＋リセットパルス電圧（Ｖｓｅｔ）となる。この時にはスイッチ（Ｙｓｐ）とスイッチ（Ｙｆｒ）のゲートに低レベルの信号が印加されて、スイッチ（Ｙｓｐ）とスイッチ（Ｙｆｒ）がオフされて電圧が上昇するようになる。本発明の実施例で外部印加電圧（Ｖｓ）は１６０Ｖになるように駆動し、リセットパルス電圧（Ｖｓｅｔ）は２２０Ｖになるように駆動されるので、最終上昇電圧は１６０Ｖ＋２２０Ｖ＝３６０Ｖとなるが、本発明が実施例にだけ限られるわけではない。以下、電流が一側方向にだけ流れることができるようにするダイオード（Ｄ３、Ｄ４）の一般的な動作の説明は省略する。
【００３１】
添付した図３のように、従来はスキャン期間を除いてはスイッチ（Ｙｓｐ）がオンされたが、本発明の実施例ではライジングランプ波形が印加される所定の第１期間でもスイッチ（Ｙｓｐ）がオフされることにより、電力回収部１００とスキャンパルス発生部４００が互いに分離される効果を示す。
【００３２】
次に、リセット期間の第２期間でスイッチ（Ｙｓｐ）とスイッチ（Ｙｆｒ）が導通して、リセットパルス電圧（Ｖｓｅｔ）まで上昇していた駆動電圧が徐々に減少する。
【００３３】
スキャン期間が始まれば、スイッチ（Ｙｓｐ）のゲートに低レベルの信号が印加され、スイッチ（Ｙｓｃ）にスキャン期間の間に動作するスキャンパルスを印加する間、スイッチ（Ｙｆｒ）のゲートに高レベルの信号を印加しつづける。従来はスイッチ（Ｙｆｒ）がスキャンパルスが印加される間に低レベルによってオフされたが、本発明の実施例ではスイッチ（Ｙｆｒ）に高レベルにオン状態を維持する。その理由は、スキャン期間の間にスキャンバッファーＩＣ３００のローサイド（low side）に接地バイアスを印加する役割をスイッチ（Ｙｆｒ）が遂行するので、スキャン期間の間にはスイッチ（Ｙｆｒ）をオンさせなければならない。このようにフォーリングランプ波形が終了した直後にスキャン期間が始まるので、接地バイアスをスイッチ（Ｙｆｒ）を利用してバイアスすることによりスキャン波形の特性に役に立つ。
【００３４】
スキャン期間が終了し維持期間が始まればスイッチ（Ｙｓｐ）が導通し、スイッチ（Ｙｆｒ）は遮断される。この時、スイッチ（Ｙｆ）がオンされスイッチ（Ｙｒ、Ｙｓ、Ｙｇ）がオフされて、パネルキャパシター（Ｃｐ）、スイッチ（Ｙｓｐ）、インダクタ（Ｌ）、ダイオード（Ｄ２）、スイッチ（Ｙｆ）及び電力回収用キャパシター（Ｃｓｓ）の経路によってＬＣ共振回路が形成され、インダクタ（Ｌ）に流れる電流によってパネル出力電圧は減少して０Ｖになる（段階１）。その時、スイッチ（Ｙｇ）はオンされてパネル出力電圧は０Ｖに維持される（段階２）。そして、スイッチ（Ｙｆ、Ｙｇ）がオフされスイッチ（Ｙｒ）がオンされれば、パネルキャパシター（Ｃｐ）とインダクタ（Ｌ）によって共振回路が形成され、インダクター（Ｌ）に電流が流れ込みパネルキャパシター（Ｃｐ）の出力電圧はＶｓに増加する（段階３）。この時、スイッチ（Ｙｓ）がオンされてパネルキャパシター（Ｃｐ）の出力電圧はＶｓに維持される（段階４）。前述した段階１乃至４を反復することにより維持放電波形が形成される。
【００３５】
消去期間には全てのＸ電極に所定の消去パルスを印加して維持放電が停止されるようにするが、以下では、消去期間中のスイッチの動作の説明は省略する。
【００３６】
図４ａ及び図４ｂは、各々従来の駆動回路及び本発明の実施例による駆動回路の維持期間の波形を示す図である。
【００３７】
維持期間の間の維持（sustain）パルス波形を見てみると、本発明の実施例によるダイオード（Ｄｓ）に対応する従来のスイッチ（以下、スイッチ（Ｙｐ）という）の内部ダイオードを維持パルス波形が通過するようになるので、維持パルス波形のライジング及びフォーリングの時に内部ダイオードによるパルスにノイズが発生するが、本発明の実施例では維持波形の供給時にダイオード（Ｄｓ）を維持パルス波形が通過するようになるので、維持パルス波形のライジング及びフォーリング時の波形がより明確になることが分かる。これは、維持パルス波形のライジングパルス波形が従来のスイッチ（Ｙｐ）の内部ダイオードを通過するために発生するが、本発明の実施例では従来のスイッチ（Ｙｐ）の内部ダイオードより電流特性の良いダイオード（Ｄｓ）を通過するようになるからである。また、維持波形のフォーリング時に、従来はスイッチ（Ｙｐ）とスイッチ（Ｙｓｐ）を通過する電流経路であったが、本発明の実施例ではスイッチ（Ｙｓｐ）だけを通過するからである。
【００３８】
図５ａ及び図５ｂは、各々従来の駆動回路及び本発明の実施例による駆動回路のリセット期間の波形を示す図である。
【００３９】
添付した図５ｂのように、本発明の実施例によるリセット期間の波形は、スイッチ（Ｙｐ）がダイオード（Ｄｓ）に入れ変わることにより、図５ａの従来のリセット期間の波形と同様な類似したリセットパルス波形であることが分かる。
【００４０】
図６ａ及び図６ｂは、各々従来の駆動回路及び本発明の実施例による駆動回路のリセット期間の波形の測定された一部分を示す図である。
【００４１】
添付した図６ｂのように、本発明の実施例によるリセット期間の波形の中で電圧（Ｖｓｅｔ）から電圧（Ｖｓ）に低下する部分は、スイッチ（Ｙｓｐ）の動作によって図６ａの波形と同一に生成されることが分かる。
【００４２】
図７ａ及び図７ｂは、各々従来の駆動回路及び本発明の実施例による駆動回路のスキャン期間の波形を測定して比較した図である。
【００４３】
図７ｂのように、本発明の実施例による駆動装置のスイッチ（Ｙｆｒ）が、スキャン期間の間にスキャンバッファーＩＣ３００のローサイド側に接地バイアスを印加する。そして、本発明の実施例によるスキャン波形は、スイッチ（Ｙｆｒ）の動作により図７ａの波形と同一である。
【００４４】
図８は、本発明の実施例によるＹ電極駆動装置を含んだプラズマディスプレイパネルの構成ブロック図である。
【００４５】
パネル８０００に表示されるアナログ画像信号はデジタルデータに変換されてフレームメモリ１０００に記録される。フレーム発生器２０００は、フレームメモリ１０００に保存されたデジタルデータを必要に応じて分割してスキャニング回路４０００に出力する。例えば、パネル８０００で階調表示するために、階調レベルに応じてフレームメモリ１０００に保存された画素データの１フレームを複数のサブフィールドに分割し、各サブフィールドのデータを出力する。
【００４６】
スキャニング回路４０００は、生成された動作信号に応じてパネル８０００のＹ電極駆動回路６０００とＸ電極駆動回路５０００が各放電セルをスキャンするようにし、動作信号に応じてアドレス電極駆動回路７０００が各々の放電セルを点滅するようにする。
【００４７】
スキャニング回路４０００は、リセット期間、スキャン期間、維持期間及び消去期間に各電極に印加する信号波形を発生するリセットパルス発生器４１００、スキャンパルス発生器４２００、維持パルス発生器４３００及び消去パルス発生器４４００を含む。つまり、リセットパルス発生器４１００は各放電セルの状態を初期化させるリセット信号を発生させ、スキャンパルス発生器４２００は導通する放電セルと遮断する放電セルを選択してアドレッシングするアドレス信号を発生させ、維持パルス発生器４３００はスキャンパルス発生器４２００によってアドレッシングされたセルを放電させる維持信号を発生させ、消去パルス発生器４４００は維持放電によって電極に蓄積された壁電荷を消去するための消去信号を発生させる。また、これら信号を合成して各電極別に供給するための合成回路４５００を含む。タイミング制御器３０００はフレーム発生器２０００とスキャニング回路４０００の動作に必要な各種タイミング信号を発生する。
【００４８】
以上で説明した本発明の実施例は一つの実施例に過ぎず、本発明の要旨から外れない範囲内で駆動回路の構成を多く変形及び変更可能であるのはもちろんのことであり、本発明が実施例にだけ限られるわけではない。
【図面の簡単な説明】
【００４９】
【図１】一般的なプラズマディスプレイパネルの電極配列図である。
【図２】本発明の実施例による交流プラズマディスプレイパネルのＹ電極駆動回路を示す回路図である。
【図３】本発明の実施例による駆動波形を示す図である。
【図４ａ】従来の駆動回路の維持期間の波形を示す図である。
【図４ｂ】本発明の実施例による駆動回路の維持期間の波形を示す図である。
【図５ａ】従来の駆動回路のリセット期間の波形を示す図である。
【図５ｂ】本発明の実施例による駆動回路のリセット期間の波形を示す図である。
【図６ａ】従来の駆動回路のリセット期間の波形の測定された一部分を示す図である。
【図６ｂ】本発明の実施例による駆動回路のリセット期間の波形の測定された一部分を示す図である。
【図７ａ】従来の駆動回路のスキャン期間の波形を測定して比較した図である。
【図７ｂ】本発明の実施例による駆動回路のスキャン期間の波形を測定して比較した図である。
【図８】本発明の実施例によるＹ電極駆動回路を含んだプラズマディスプレイパネルの構成ブロック図である。
【符号の説明】
【００５０】
１００  電力回収部
２００  リセットパルス発生部
３００  スキャンバッファーＩＣ
４００  スキャンパルス発生部
１０００  フレームメモリ
２０００  フレーム発生器
３０００  タイミング制御器
４０００  スキャニング回路
４１００  リセットパルス発生器
４２００  スキャンパルス発生器
４３００  維持パルス発生器
４４００  消去パルス発生器
４５００  合成回路
５０００  Ｘ電極駆動回路
６０００  Ｙ電極駆動回路
７０００  アドレス電極駆動回路
８０００  パネル
【図１】
2008083714.tif 000003
【図２】
2008083714.tif 000004
【図３】
2008083714.tif 000005
【図８】
2008083714.tif 000006
【図４ａ】
2008083714.tif 000007
【図４ｂ】
2008083714.tif 000008
【図５ａ】
2008083714.tif 000009
【図５ｂ】
2008083714.tif 000010
【図６ａ】
2008083714.tif 000011
【図６ｂ】
2008083714.tif 000012
【図７ａ】
2008083714.tif 000013
【図７ｂ】
2008083714.tif 000014